(57)【要約】【課題】複数種類の交通情報から有効な交通情報を選択してナビゲーション装置に送信する交通情報提供システム及び、本システムを実現する交通情報生成サーバ装置、車載用ナビゲーション装置を提供する。【解決手段】プローブ情報を交通情報生成サーバ装置に送信するプローブ情報送信部を備えるプローブ情報収集装置と、１つ以上のプローブ情報収集装置からのプローブ情報を受信するプローブ情報受信部と、道路交通情報システムセンターから交通情報を取得する交通情報取得部と、プローブ情報及び交通情報を統合させる情報統合部と、プローブ情報、交通情報、統合交通情報を記録する情報記録部と、車載用ナビゲーション装置と通信を行う通信部とを備える交通情報生成サーバ装置と、交通情報生成サーバ装置から統合交通情報を取得する通信部と、通信部で通信した統合交通情報を用いて案内処理を行う経路案内部を備える車載用ナビゲーション装置を備える。【選択図】図１
2010140135.tif 000002
【特許請求の範囲】
【請求項１】
少なくとも１つ以上のプローブ情報収集装置と交通情報生成サーバ装置と車載用ナビゲーション装置とからなる交通情報提供システムであって、
前記プローブ情報収集装置は、実走行で収集したプローブ情報を前記交通情報生成サーバに送信するプローブ情報送信部を備え、
前記交通情報生成サーバ装置は、前記プローブ情報収集装置からの前記プローブ情報を受信するプローブ情報受信部と、
道路交通情報システムセンターから交通情報を取得する交通情報取得部と、
前記プローブ情報及び前記交通情報を統合させる情報統合部と、
前記プローブ情報、前記交通情報、前記情報統合部で統合された統合交通情報を記録する情報記録部と、
前記車載用ナビゲーション装置と通信を行う通信部とを備え、
前記車載用ナビゲーション装置は、前記交通情報及び実走行で収集された前記プローブ情報が統合された前記統合交通情報を前記交通情報生成サーバ装置から取得する通信部と、
前記通信部で通信した前記統合交通情報を用いて案内処理を行う経路案内部と、
を備えることを特徴とする交通情報提供システム。
【請求項２】
少なくとも１つ以上のプローブ情報を受信するプローブ情報受信部と、
道路交通情報システムセンターから交通情報を取得する交通情報取得部と、
前記プローブ情報及び前記交通情報を統合させる情報統合部と、
前記プローブ情報、前記交通情報、前記情報統合部で統合された統合交通情報を記録する情報記録部と、
車載用ナビゲーション装置と通信を行う通信部と、を備えて構成されることを特徴する交通情報生成サーバ装置。
【請求項３】
前記プローブ情報は、実走行から得られた複数地点の位置情報あるいは、位置情報からリンク毎及び、又は走行車線毎に算出した交通情報であることを特徴とする請求項２に記載の交通情報生成サーバ装置。
【請求項４】
前記情報記録部に記録された前記プローブ情報及び前記交通情報の精度を判定する精度判定部を備えることを特徴とする請求項２又は請求項３に記載交通情報生成サーバ装置。
【請求項５】
前記精度判定部は、前記プローブ情報の精度を判定する際に、同一リンク単位における実走行台数で判定することを特徴とする請求項４に記載の交通情報生成サーバ装置。
【請求項６】
前記精度判定部の判定結果から、前記情報統合部が統合した統合交通情報に対して、情報種別ＩＤを付与する情報種別ＩＤ付与部を備えることを特徴とする請求項４又は請求項５に記載の交通情報生成サーバ装置。
【請求項７】
前記情報種別ＩＤ付与部は、前記精度判定部による判定結果を前記プローブ情報と前記交通情報の包含関係毎に前記情報種別ＩＤを付与することを特徴とする請求項６に記載の交通情報生成サーバ装置。
【請求項８】
前記情報統合部は、前記プローブ情報及び前記交通情報を同一リンク単位又は同一走行車線毎に統合することを特徴とする請求項２から請求項７のいずれかに記載の交通情報生成サーバ装置。
【請求項９】
道路交通情報システムセンターからの交通情報及びプローブ情報が統合され情報種別Ｉ
Ｄが付与された統合交通情報を取得する通信部と、
前記通信部で通信した前記統合交通情報に付された情報種別ＩＤに応じて案内処理を行う経路案内部と、
を備えることを特徴とする車載用ナビゲーション装置。
【請求項１０】
情報種別ＩＤを選択する情報種別ＩＤ選択部と、
前記情報種別ＩＤ選択部で選択された情報種別ＩＤが付された統合交通情報を取得する通信部と、
前記通信部で取得した前記統合交通情報に応じて案内処理を行う経路案内部と、
を備える車載用ナビゲーション装置。
【請求項１１】
交通情報及びプローブ情報が統合され情報種別ＩＤが付与された統合交通情報を取得可能な通信部と、
道路交通情報システムセンターからの交通情報を受信する交通情報取得部と、
前記交通情報取得部で取得された前記交通情報及び前記統合交通情報の両方を受信したとき、前記通信部で取得した前記情報種別ＩＤから車載用ナビゲーション装置で使用する情報を情報種別間の優先アルゴリズム及び情報間の情報鮮度に応じて選択する情報選択部と、
前記情報選択部で選択された情報に基づいて案内処理を行う経路案内部と、
を備えることを特徴とする車載用ナビゲーション装置。
【請求項１２】
請求項２から請求項８のいずれかに記載された前記交通情報生成サーバ装置と、
請求項９から請求項１１のいずれかに記載された前記車載用ナビゲーション装置と、
プローブ情報を前記交通情報生成サーバ装置に送信するプローブ情報送信部を備えたプローブ情報収集装置と、を備えて構成されることを特徴とする交通情報提供システム。
【発明の詳細な説明】
【技術分野】
【０００１】
本発明は、車載用ナビゲーション装置に最適な交通情報を提供・利用させることができる交通情報提供システム及び、本システムを実現する交通情報生成サーバ装置、車載用ナビゲーション装置に関する。
【背景技術】
【０００２】
従来のナビゲーション装置おいては、道路交通情報システムセンターからの光ビーコン、電波ビーコン、ＦＭ多重である３メディア交通情報（３メディアＶＩＣＳ（登録商標）交通情報）を用いた交通情報案内を表示することができるナビゲーション装置が普及している。また、プローブカーが実走行したときのプローブ情報を管理サーバ装置に集約し、管理サーバ装置に集約したプローブ情報をナビゲーション装置に送信する交通情報提供システムがある。また、交通情報を保持した交通情報提供システムとナビゲーション装置との間で双方向通信を行い、ナビゲーション装置が現在位置に近い場所などの交通情報を選択的・優先的に取得することができる交通情報提供システムがある（特許文献参照）。
【特許文献１】特開２００２−４８５７０号公報
【発明の開示】
【発明が解決しようとする課題】
【０００３】
しかしながら、従来のナビゲーション装置においては、複数種類の交通情報を取得することは考慮していないため、路上センサデータで生成された３メディア交通情報による渋滞情報と車のリアルタイムな走行軌跡などから生成したプローブ情報が同時に受信された場合、それぞれの情報を判別することができず、より情報精度の高いプローブ情報を有効に利用することができないという課題があった。
【０００４】
さらには、管理サーバ装置が提供する複数種類の交通情報は、同一リンクに対する情報が重複して提供されることも考えられ、無線通信回線利用による通信料金面やナビゲーション装置におけるデータ処理負荷面でも効率が悪いという課題もあった。
【０００５】
そこで本発明は、これらの問題を解決するものであり、複数種類の交通情報から有効な交通情報を選択して、情報内容を区別可能な形式で情報を統合し、ナビゲーション装置に送信する交通情報提供システム及び、本システムを実現する交通情報生成サーバ装置、車載用ナビゲーション装置を提供することを目的とする。
【課題を解決するための手段】
【０００６】
本発明の交通情報提供システムは、少なくとも１つ以上のプローブ情報収集装置と交通情報生成サーバ装置と車載用ナビゲーション装置とからなる交通情報提供システムであって、前記プローブ情報収集装置は、実走行で収集したプローブ情報を前記交通情報生成サーバに送信するプローブ情報送信部を備え、前記交通情報生成サーバ装置は、前記プローブ情報収集装置からの前記プローブ情報を受信するプローブ情報受信部と、道路交通情報システムセンターからの交通情報を取得する交通情報取得部と、前記プローブ情報及び前記交通情報を統合させる情報統合部と、前記プローブ情報、前記交通情報、前記情報統合部で統合された統合交通情報を記録する情報記録部と、前記車載用ナビゲーション装置と通信を行う通信部とを備え、前記車載用ナビゲーション装置は、前記交通情報及び実走行で収集された前記プローブ情報が統合された前記統合交通情報を前記交通情報生成サーバ装置から取得する通信部と、前記通信部で通信した前記統合交通情報を用いて案内処理を行う経路案内部と、を備えた構成を有している。
【０００７】
このように構成された本発明の交通情報提供システムによれば、少なくとも１つ以上のプローブ情報収集装置から送信されたプローブ情報、交通情報取得部を用いて道路交通情報システムセンターから取得した交通情報を情報統合部で統合して総合交通情報を生成し、プローブ情報、交通情報、統合交通情報を交通情報生成サーバの情報記憶部に記録し、情報記録部に記録された統合交通情報をナビゲーション装置に通信するように構成しているので、車載用ナビゲーション装置はプローブ情報と交通情報が統合された統合交通情報を用いて、より有効な交通情報だけを利用した経路案内することができる。
【０００８】
本発明の交通情報生成サーバ装置は、少なくとも１つ以上のプローブ情報を受信するプローブ情報受信部と、道路交通情報システムセンターから交通情報を取得する交通情報取得部と、前記プローブ情報及び前記交通情報を統合させる情報統合部と、前記プローブ情報、前記交通情報、前記情報統合部で統合された統合交通情報を記録する情報記録部と、車載用ナビゲーション装置と通信を行う通信部と、を備えた構成を有している。
【０００９】
このように構成された交通情報生成サーバ装置は、外部から少なくとも１つ以上のプローブ情報を受信すると共に交通情報取得部を用いて道路交通情報システムセンターから交通情報を取得し、プローブ情報と交通情報を情報統合部で統合して統合交通情報を作成し、情報記録部にプローブ情報、交通情報、統合交通情報をそれぞれ記録し、通信部を用いて情報記録部に記録された情報を車載用ナビゲーション装置に送信することができるように構成されている。
【００１０】
本発明の交通情報生成サーバ装置の前記プローブ情報は、実走行から得られた複数地点の位置情報あるいは、位置情報からリンク毎及び、又は走行車線毎に算出した交通情報である特徴を有している。
【００１１】
このように構成された交通情報生成サーバ装置のプローブ情報によれば、プローブ情報は収集する際にリンク毎（交差点毎）及び、又は走行車線毎に収集されているので、交通情報取得部で取得した交通情報を用いて統合交通情報を作成する際に、リンク毎及び、又は走行車線毎に統合して統合交通情報を作成することができる。
【００１２】
本発明の交通情報生成サーバ装置は、情報記録部に記録された前記プローブ情報及び前記交通情報の精度を判定する精度判定部を備えた構成を有している。
【００１３】
このように構成された交通情報生成サーバ装置によれば、前記統合交通情報に含まれる情報を精度判定部で判定するように構成されており、統合交通情報に含まれる情報内容が、例えば、道路交通情報システムセンターからの交通情報とリアルタイムプローブ情報と統計プローブ情報なら、リアルタイムプローブ情報、交通情報、統計プローブ情報という順番で精度が高いと一定の基準に基づいて判定するように構成され、ナビゲーション装置により有効な情報だけを提供することができる。なお、リアルタイムプローブ情報とは、例えば、過去１５分間に取得したリンク毎の複数のプローブ情報を平均化して生成した情報を示すものである。また、統計プローブ情報とは、例えば、前記１５分毎のリアルタイムプローブ情報に対し、時刻や平日、土曜日、日曜・祝祭日等の曜日種別を付与して、ＤＢ内に蓄積し、利用時に時刻と曜日種別などの条件を指定して、取得可能な過去のプローブ情報を示すものである。
【００１４】
本発明の交通情報生成サーバ装置の前記精度判定部は、前記統合交通情報に含まれる前記プローブ情報の精度を判定する際に、同一リンク単位における実走行台数で判定する構成を有している。
【００１５】
このように構成された交通情報生成サーバ装置の精度判定部によれば、統合交通情報のプローブ情報の精度判定部で判定する際に、同一リンク単位における実走行台数でプローブ情報を判定するように構成しており、プローブ情報の正確性や精度を考慮して交通情報の優先順位を判定することができるので、プローブ情報の収集状況などに合わせて、的確により精度の高い情報を統合交通情報として、ナビゲーション装置に提供することができる。
【００１６】
本発明の交通情報生成サーバ装置は、前記精度判定部の判定結果から、前記情報統合部が統合した統合交通情報に対して、情報種別ＩＤを付与する情報種別ＩＤ付与部を備える構成を有している。
【００１７】
このように構成された交通情報生成サーバ装置によれば、精度判定部で判定された判定結果毎に情報種別ＩＤを付与することで、ナビゲーション装置では、情報種別ＩＤごとに情報を区別して利用することができる。ここで、判定結果とは、例えば、道路交通情報システムセンターからの交通情報とプローブリアルタイム情報と統計プローブ情報というように情報の種類に分けて情報種別ＩＤを付与する。
【００１８】
本発明の交通情報生成サーバ装置の情報種別ＩＤ付与部は、前記精度判定部による判定結果を前記プローブ情報と前記交通情報の包含関係毎に前記情報種別ＩＤを付与する構成を有している。
【００１９】
このように構成された交通情報生成サーバ装置によれば、統合交通情報に含まれる情報の包含関係毎に情報種別ＩＤを付与するので、ナビゲーション装置では、より細分化した情報を区別して利用することができる。
【００２０】
本発明の交通情報生成サーバ装置の情報統合部は、前記プローブ情報及び前記交通情報を同一リンク単位又は同一走行車線毎に統合する構成を有している。
【００２１】
このように構成された交通情報生成サーバ装置の情報統合部は、前記プローブ情報と前記道路交通情報システムセンターからの交通情報を、同一リンク単位及び同一走行車線、同一リンク単位又は同一走行車線というように統合するので正確でより有効な統合交通情報を提供することができる。
【００２２】
本発明の車載用ナビゲーション装置は、道路交通情報システムセンターからの交通情報及びプローブ情報が統合され情報種別ＩＤが付与された統合交通情報を取得する通信部と、前記通信部で通信した前記統合交通情報に付された情報種別ＩＤに応じて案内処理を行う経路案内部と、を備えた構成を有している。
【００２３】
このように構成された車載用ナビゲーション装置によれば、情報種別ＩＤが付与された統合交通情報を交通情報生成サーバ装置から取得し、取得した統合交通情報に付与された情報種別ＩＤに応じて経路案内を行うことができるように構成されている。
【００２４】
本発明の車載用ナビゲーション装置は、本発明の車載用ナビゲーション装置は、情報種別ＩＤを選択する情報種別ＩＤ選択部と、前記情報種別ＩＤ選択部で選択された情報種別ＩＤが付された統合交通情報を取得する通信部と、前記通信部で取得した前記統合交通情報に応じて案内処理を行う経路案内部と、を備えた構成を有している。
【００２５】
このように構成された車載用ナビゲーション装置によれば、情報種別ＩＤ選択部で選択した情報種別ＩＤが付与された統合交通情報を交通情報生成サーバ装置から取得して、取得した統合交通情報に応じて案内処理を行うことができる。
【００２６】
交通情報及びプローブ情報が統合され情報種別ＩＤが付与された統合交通情報を取得可能な通信部と、道路交通情報システムセンターからの交通情報を受信する交通情報取得部と、前記交通情報取得部で取得された前記交通情報及び前記統合交通情報の両方を受信したとき、前記通信部で取得した前記情報種別ＩＤから車載用ナビゲーション装置で使用する情報を情報種別間の優先アルゴリズム及び情報間の情報鮮度に応じて選択する情報選択部と、前記情報選択部で選択された情報に基づいて案内処理を行う経路案内部と、を備えて構成されている。    
【００２７】
このように構成された車載用のナビゲーション装置によれば、道路交通情報システムセンターから取得した交通情報と交通情報生成サーバ装置から統合交通情報を受信した時、同一リンクに対して重複する情報に対して、情報種別間の優先アルゴリズムや情報間の情報鮮度に応じて利用する情報を選択することができる。また、受信した統合交通情報にプローブ情報が含まれているときは、プローブ情報を優先的に利用することができる。
【００２８】
本発明の交通情報提供システムは、前記交通情報生成サーバ装置と、前記車載用ナビゲーション装置と、プローブ情報を前記交通情報生成サーバに送信するプローブ情報送信部を備えたプローブ情報収集装置と、を備えた構成を有している。
【００２９】
このように構成された本発明の交通情報提供システムによれば、有効な交通情報だけを車載用ナビゲーション装置に提供して経路案内することができる交通情報提供システムを提供することができる。
【発明の効果】
【００３０】
本発明の交通情報提供システムによれば、交通情報生成サーバ装置でプローブ情報、交通情報を統合して統合交通情報を作成し、作成された統合交通情報を車載用ナビゲーション装置に送信して統合された交通情報を用いて経路案内を行うことができるので、実走行から得られたプローブ情報を有効利用して経路案内を行うときに利用することができる。また、ナビゲーション装置で交通情報取得部からの３メディア交通情報と、通信部からの統合交通情報のように、複数の交通情報を受信した場合でも、情報種別ＩＤにより、情報の内容を区別して、プローブ情報を有効利用した経路案内を行うことができる。
【発明を実施するための最良の形態】
【００３１】
（第１の実施の形態）
次に、本発明の第１の実施の形態について、図面を参照して詳細に説明する。
【００３２】
図１は本発明の第１の実施の形態における交通情報提供システムの構成を示す概念図である。図２は、プローブカーの構成を示す構成図である。図３は交通情報生成サーバ装置の構成を示す構成図である。図４は、ナビゲーション装置の構成を示す構成図である。図９は、図３における情報統合部の処理内容を示す模式図である。
【００３３】
本発明の第１の実施の形態における交通情報提供システムＳは、図１に示すように、プローブ情報を収集する複数のプローブカー１（プローブ情報収集装置）と、複数のプローブカー１によって収集されたプローブ情報と交通情報を集約し、統合交通情報を作成してナビゲーション装置３に統合交通情報を送信する交通情報生成サーバ装置２と、交通情報生成サーバ装置２から統合交通情報を取得して経路案内を行うナビゲーション装置３から構成されている。なお、プローブカー１及びナビゲーション装置３の台数は本発明を限定するものではない。
【００３４】
ここで、プローブカー１は、図２に示すように、車両に搭載されたプローブ情報収集装
置１Ａであり、このプローブ情報収集装置１Ａは、車両におけるユーザ操作から車両状態を解析するユーザ操作解析部１ａと、車両の速度を検出する車速検出部１ｂと、車両のハンドルの蛇角を検出する蛇角検出部１ｃと、車両の現在位置を算出する現在位置算出部１ｄと、プローブ収集装置１Ａの各部を制御するプローブ制御部１ｅと、ユーザ操作解析部１ａや蛇角検出部１ｃや現在位置検出部１ｄの情報に基づいて車両の走行車線を判定する走行車線判定部１ｆと、ユーザ操作解析部１ａ、車速検出部１ｂ、蛇角検出部１ｃ、現在位置算出部１ｄ、走行車線判定部１ｆの情報及び、記憶部１ｉに保持された地図データを用いて、プローブ情報を作成するプローブ情報生成部１ｇと、プローブ情報生成部１ｇで生成したプローブ情報を交通情報生成サーバ装置２に送信する通信部１ｈと、地図データが記憶された記憶部１ｉを備えて構成されている。ここで、プローブ情報として送信される交通情報は、位置情報と各位置における混雑情報や、地図データにおけるリンク毎の通過時間や、リンク毎における走行車線毎の交通情報として交通情報生成サーバ装置２に送信するように構成されている。なおプローブカー１として一般自動車、タクシー、バスなどから実走行の情報を得るようにすることができる。この場合の構成は、図２の構成に限定されるものではなく、走行軌跡となる位置情報と時間を特定の周期で収集用のサーバにアップできる構成であれば良い。この時は、交通情報生成サーバ装置２でリンク単位の交通情報を生成する。
【００３５】
交通情報生成サーバ装置２は、図３に示すように、プローブカー１の通信部１ｈから送信されてくるプローブ情報を受信するプローブ情報受信部２ａと、道路交通情報システムセンターが提供している交通情報（ＶＩＣＳ（登録商標）情報）を取得する交通情報取得部２ｂと、プローブ情報、交通情報、後記する統合交通情報を記録する情報記録部２ｃと、プローブ情報受信部２ａで受信した各プローブ情報と交通情報取得部２ｂで取得した各交通情報を統合して統合交通情報を作成する情報統合部２ｄと、交通情報生成サーバ装置２とナビゲーション装置３との間で通信を行い、統合交通情報を送信する外部通信部２ｅとを備えて構成されている。なお、交通情報生成サーバ装置は、複数のサーバ装置で実現する構成であっても良い。
【００３６】
情報統合部２ｄは、図９に示すように、地図データを保持する記憶部２ｈを備え、地図データには、より粒度の細かい詳細リンクと、実際に端末に提供する提供リンクで構成された道路情報などが含まれている。なお、複数のプローブカー１から集まったリアルタイムプローブ情報だけでなく、リアルタイムプローブ情報を一定期間蓄積してＤＢ化し、ＤＢに対する特定条件の入力によって取得する統計プローブ情報の利用も可能であり、どちらか一方の情報の利用でも良い。また、予測プローブ情報のようなプローブ情報を使った新たな情報を作成しても良い。なお、予測プローブ情報とは、例えば、過去の渋滞の伝播特性や変化パターンをモデル化し、その予測モデルにリアルタイムプローブ情報、もしくは道路交通情報システムセンターからの情報を適用して算出する情報である。
【００３７】
以上のようなプローブ情報と道路交通情報システムセンターが提供している３メディア交通情報による渋滞情報を例えば、リアルタイムプローブ情報、３メディア交通情報、統計プローブ情報の順に優先順位を定義したとき、情報統合部２ｄは、地図データにある特定の詳細リンク単位に複数の情報の粒度を合わせた後に、前記優先順位に従って、同一リンク単位で統合や、同一リンク単位かつ走行車線毎に交通情報を統合するように構成されている(図９)。以後、３メディア交通情報による渋滞情報を単に、３メディア交通情報として表記することとする。
【００３８】
同一リンク単位で統合することで、リンク単位毎の実走行で得られたプローブ情報と道路交通情報システムセンターが提供している交通情報をいずれかの情報に統合した統合交通情報として、有効な情報だけをナビゲーション装置に提供することができる。リンクに対する考え方としては、情報源毎に収集される単位は異なるが、同一詳細リンク単位に合
わせて統合処理を行い、さらに、ナビゲーション装置に提供する提供リンク単位に結合することとなる。よって、ナビゲーション装置に提供する提供リンク情報が、複数の情報源をもとに構成されていても良い。
【００３９】
また、同一リンク単位かつ走行車線毎に統合するように構成しているので、例えば、走行車線毎の混雑状態をナビゲーション装置３に提供することができる。さらに、交通情報生成サーバ装置２からナビゲーション装置３に送信（通信）する際に、道路交通情報システムセンターが提供している３メディア交通情報と同じデータ形式に変換して送信することで、道路交通情報システムセンターが提供する３メディア交通情報を取得して表示可能な一般的なナビゲーション装置でも使用することができる。また、交通情報生成サーバ装置２とナビゲーション装置３との間の通信は、例えば、電波でもよくまた携帯電話や無線ＬＡＮやＷｉ−Ｆｉ、ＷＩＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等を用いて通信を行うことができる。
【００４０】
ナビゲーション装置３は、図４に示すように、地図や各種情報を表示することができる表示部３ａと、地図データが記憶された記憶部３ｂと、車両の速度を検出する車速センサ３ｄと、目的地までの経路を探索する経路探索部３ｅと、車両の位置や方向を検出する自車位置検出部３ｆと、ナビゲーション装置３の外部と通信を行うこができ、交通情報生成サーバ装置２から送信される統合交通情報を受信することができる通信部３ｇと、情報種別ＩＤ選択部３ｈと、情報選択部３ｉと、交通情報取得部３ｊと、ナビゲーション装置３の各部を制御するナビゲーション制御部３ｋとで構成されている。
【００４１】
なお、ナビゲーション装置３は、交通情報生成サーバ装置２から統合交通情報を取得して表示するか、あるいは、交通情報取得部２ｂで３メディア交通情報を取得して表示するか、統合交通情報と３メディア交通情報の両方を取得して同時に表示するかをシステム構成として選択できる。
【００４２】
次に、交通情報生成サーバ装置２の動作について図を用いて説明する。
【００４３】
交通情報生成サーバ装置２は、複数のプローブカー１から現在位置の存在するリンクのリンクＩＤと、プローブカー１が実走行した走行車線と車速などの収集情報からなるプローブ情報を受信して情報記録部２ｃに保存する。また、交通情報取得部２ｂはリンク毎の旅行時間、渋滞度などの道路交通情報システムセンターが提供している交通情報の取得を行い情報記録部２ｃに保存する。そして、情報統合部２ｄは、リアルタイムプローブ情報、道路交通情報通信システムセンターからの３メディア交通情報、統計プローブの固定優先順位とし、リンク単位で優先順位の高いものだけ残し統合して統合交通情報を作成し情報記録部２ｃに保存する。
【００４４】
情報統合部２ｄで統合された統合交通情報は、交通情報生成サーバ装置２から各ナビゲーション装置３が取得し、ナビゲーション装置３の表示部３ａの地図上に統合交通情報を表示することができるように構成されている。なお、ナビゲーション装置３の自車位置検出部３ｆで検出した位置情報、あるいは、自社位置の存在するエリア情報を交通情報生成サーバ装置２に送信し、自車位置検出部３ｆで検出された位置に該当する周辺の統合交通情報を交通情報生成サーバ装置２から取得するようにしてもよい。
【００４５】
このように構成された第１の実施形態における本発明は、実走行で得られたプローブ情報と、道路交通情報システムセンターから提供されている交通情報が、情報統合部で統合されて統合交通情報をナビゲーション装置３に送信して表示させるように構成しているので、ナビゲーション装置３の利用者は、道路交通情報システムセンターから提供される交
通情報とプローブ情報を合わせた情報のうち、同一リンクで重複なく、より有効な交通情報だけを利用した地図表示や経路案内をすることができる。
（第２の実施の形態）
次に、本発明の第２の実施の形態について、図面を参照して詳細に説明する。
【００４６】
なお、第１の実施の形態と同じ箇所については同一の符号を付し詳細な説明は省略する。図５は、第２の実施の形態における交通情報生成サーバ装置の構成を示す模式図である。
【００４７】
第２の実施の形態における本発明の交通情報提供システムは、図５に示すように第１の実施の形態における交通情報生成サーバ装置２（図３）に精度判定部２ｆを備えた構成を有している。
【００４８】
第２の実施の形態における交通情報生成サーバ装置２Ａは、プローブカー１の通信部１ｈから送信されてくるプローブ情報を受信するプローブ情報受信部２ａと、道路交通情報システムセンターが提供している交通情報を取得する交通情報取得部２ｂと、プローブ情報、交通情報、後記する統合交通情報を記録する情報記録部２ｃと、プローブ情報受信部２ａで受信した各プローブ情報と交通情報取得部２ｂで取得した各交通情報を統合して統合交通情報を作成する情報統合部２ｄと、交通情報生成サーバ装置２Ａとナビゲーション装置３との間で通信を行い、統合交通情報を送信する外部通信部２ｅと、情報統合部２ｄで作成された統合交通情報の精度を判定する精度判定部２ｆを備えて構成されている。
【００４９】
ここで、道路交通情報システムセンターから提供される交通情報は必ずしもすべてのリンクにおける交通情報が提供されているものではなく、山間部や利用台数が少ない道路等によっては交通情報が提供されていない箇所も存在する。しかしながら、本発明においては、道路交通情報システムセンターが提供した交通情報に含まれていない箇所であっても、プローブカー１が収集したプローブ情報を用いて補うことができ、使用するリアルタイムプローブ情報においても、交通情報生成サーバ装置２Ａに提供された時間、プローブ情報の数等を考慮して提供するようにしている。ここで、交通情報生成サーバ装置２Ａに提供された日時やプローブ情報の数等を考慮するのは、提供されたリアルタイムプローブ情報の日時が現在に比べてかなり古い場合には正確性を欠く恐れがあるため、現在の時間に近いプローブ情報であれば採用し、一定時間以上経過した場合には採用しないようにすることで情報の正確性を保つことができる。
【００５０】
また、プローブ情報の数に関しては、一定時間内における特定リンクの通過情報数や、隣接するリンク毎のプローブ情報の数が多くなることで、そのリンク毎の情報の正確性を向上させることができる。またプローブ情報が少ない場合、例えば、１つだけのプローブ情報の時は採用しないようにすることで、情報の正確性を向上させることができる。なお、道路交通情報システムセンターから提供される交通情報がなくプローブ情報だけの統合交通情報においては、プローブ情報の数に関係なく利用するようにすることでリンク毎の交通情報をより多く提供することができる。
【００５１】
ここで精度判定部２ｆはリンク毎に最も精度の高い情報を判定することで、重複無く最も精度の高い情報のみを対象とした統合交通情報を作成する。例えば、注目リンクの３メディア交通情報の有無とプローブ情報の有無とを判定し、プローブ情報だけが有の場合、１５分以内の情報が１台分でも存在すれば統合交通情報として利用する。プローブ情報と交通情報の両方が有の場合は、プローブ情報が１５分以内の実走行台数一定以上の場合に限り、算出されたプローブ情報を利用し、それ以外の実走行台数が一定台数以下、３メディア交通情報のみ有の条件下では３メディア交通情報を利用するようにし、リンク毎により精度の高い統合交通情報のみを交通情報生成サーバ装置２Ａからナビゲーション装置３
に統合交通情報を提供するように構成されている。
【００５２】
このように第２の実施の形態における本発明は、情報統合部２ｄによって交通情報を作成する対象となるプローブ情報や交通情報の精度を判定する精度判定部２ｆを備えることで、情報統合部２ｄで最も精度の高い交通情報のみを対象として統合交通情報を作成することができ、高精度だと判定された情報だけを交通情報生成サーバ装置２からナビゲーション装置３に提供することができる。
（第３の実施の形態）
次に、本発明の第３の実施の形態について、図面を参照して詳細に説明する。
【００５３】
なお、第２の実施形態と同じ箇所については同一の符号を付し詳細な説明は省略する。図６は、第３の実施の形態における交通情報生成サーバ装置の構成を示す模式図である。
【００５４】
第３の実施の形態における本発明の交通情報提供システムは、図６に示すように第２の実施の形態における交通情報生成サーバ装置２Ａ（図３）に、情報種別ＩＤ付与部２ｇを備えた交通情報生成サーバ装置２Ｂの構成を有している。図１０（ａ）は交通情報生成サーバ装置２Ａからナビゲーション装置３に提供される交通情報フォーマット例を示す模式図である。
【００５５】
ここで情報種別ＩＤ付与部２ｇは、精度判定部２ｆでリンク毎に作成された統合交通情報に対してリアルタイムプローブ情報、統計プローブ情報、３メディア交通情報などの情報内容を示す情報種別ＩＤを付与するように構成されている。また、３メディア交通情報のフィールドでは渋滞情報を扱う。また、情報種別ＩＤ別に、交通情報生成サーバ装置２Ｂが作成したプローブ情報の日時や、道路交通情報システムセンターから提供される交通情報を取得した時の日時を一緒に付与するようなデータフォーマットになるように構成してもよい(図１０（ａ）)。このとき、有効時間を３０分とした場合は、３０分以上経過した情報を使用しないことも可能となる。
【００５６】
また、道路交通情報システムセンターから提供される交通情報に注目し、この情報で提供されているリンクの情報を放送内リンク、提供されていない情報を放送外リンクと定義する。放送内リンクは、国道、県道などの主要道路を概ねカバーするという特徴を持っている。この場合、リアルタイムプローブ情報を放送内リンク情報、放送外リンク情報に分類でき、それぞれ情報種別ＩＤの付与ができるので、ナビゲーション装置３でも情報種別ＩＤからプローブ情報における放送内、放送外を判定することができ、ルート探索におけるコストの重みづけを変更するなど、プローブ情報が提供された道路の特性を活かした情報の利用を行うことができる。
【００５７】
これより第３の実施の形態における本発明の交通情報提供システムは、ナビゲーション装置３が交通情報生成サーバ装置２Ｂから統合交通情報を取得するときに情報種別ＩＤも同時に送信することで、統合交通情報を受信するナビゲーション装置３が情報種別ＩＤの情報内容に合わせて、表示形式や経路探索の際の渋滞コスト変えるなどの処理をすることができ、また、情報種別ＩＤについている各情報の取得時間等を利用して、情報鮮度を判断することもできる。
（第４の実施の形態）
次に、本発明の第４の実施の形態について、図面を参照して詳細に説明する。
【００５８】
図７は、第４の実施の形態におけるナビゲーション装置の構成を示す模式図である。
【００５９】
図７に示すように、第４の実施の形態における本発明のナビゲーション装置３Ａの構成は、地図や各種情報や設定メニュー等を表示することができる表示部３ａと、地図データ
が記憶された記憶部３ｂと、ナビゲーション装置３の入力操作を行う入力部３ｃと、車両の速度を検出する車速センサ３ｄと、目的地までの経路を探索する経路探索部３ｅと、車両の位置や方向を検出する自車位置検出部３ｆと、ナビゲーション装置３の外部と通信を行うこができ、交通情報生成サーバ装置２から送信される３メディア交通情報とプローブ情報を含む統合交通情報を受信する通信部３ｇと、ナビゲーション装置３の各部を制御するナビゲーション制御部３ｋと、交通情報生成サーバ装置２から統合交通情報に含む取得対象の情報を選択する情報種別ＩＤ選択部３ｈを備えて構成されている。図１０（ｂ）はナビゲーション装置３から交通情報生成サーバ装置２Ａに交通情報取得要求を行う際のデータフォーマット例を示す模式図である。図１１はナビゲーション装置３の表示部３aに表示して、交通情報取得モードの選択を行う機能の表示例を示す模式図である。
【００６０】
ナビゲーション装置３は、図１０（ｂ）に示すフォーマットに含まれる情報を指定して交通情報取得要求を交通情報生成サーバ装置２Ａに送信する。取得エリア指定情報では、位置座標情報あるいは、エリアを特定可能な複数の２次メッシュ番号のような情報を指定する。地図年度情報では、記憶部３iに保持された地図データの年度情報を指定する。道路新設などにより、リンク情報を含む地図データ情報は毎年更新される。地図年度情報の指定により、使用地図データの年度に一致、あるいは最も近い年度のリンク情報を用いた統合交通情報を取得することができる。情報種別有無フラグでは、情報種別ＩＤ毎に情報の取得有無を指定する。これらの情報を含む交通情報取得要求を受信した交通情報生成サーバ装置２Ａでは、取得要求に対応したエリアのうち、指定された情報種別ＩＤの統合交通情報を地図年度情報に合ったリンク情報を用いてナビゲーション装置３に送信する。
【００６１】
ここでナビゲーション装置３Ａの情報種別ＩＤ選択部３ｈは、交通情報生成サーバ装置２Ｂからナビゲーション装置３Ａが取得する統合交通情報について、ナビゲーション装置３Ａの表示部３ａからユーザ操作によって指定された情報の種類に応じて、該当する情報種別ＩＤの組み合わせを選択することができる(図１１)。
【００６２】
このように構成された本発明の第４の実施の形態における交通情報提供システムのナビゲーション装置３Ａは、表示部３ａから取得対象となる交通情報を情報種別ＩＤ選択部３ｈで情報種別ＩＤの組み合わせとして、選択できるように構成していることで、ナビゲーション装置３Ａ側で取得する交通情報を選択することができる。
【００６３】
このように構成された第４の実施の形態における本発明は、ナビゲーション装置３（Ａ）側で交通情報生成サーバ装置２Ａ（Ｂ）から取得する情報を情報種別ＩＤで指定することで選択することができ、入力部で選択した情報を取得してナビゲーション装置３（Ａ）の地図データ上に表示することができる。また、このように構成することで、プローブ情報だけを取得して地図データ上に表示することや、３メディア交通情報とプローブ情報を同時に表示することができる。特に、入力部で取得する情報を選択するように構成することで、ユーザにとって必要最小限の情報を取得することができ、交通情報生成サーバ装置２Ａ（Ｂ）とナビゲーション装置３（Ａ）との間の通信を最小限にすることができると共に通信コストや通信時間を短縮することができる。
（第５の実施の形態）
次に本発明の第５の実施の形態について説明する。
【００６４】
第４の実施の形態において情報種別ＩＤ選択部３ｈは、統合交通情報の中から取得対象の情報種別ＩＤを選択して、交通情報生成サーバ装置２Ａ（Ｂ）から情報を取得するように構成したが、第５の実施の形態においては、第４の実施の形態に加えて、道路交通情報システムセンターからの３メディア交通情報を受信する交通情報取得部３ｊと、前記情報種別ＩＤから使用する情報を選択する情報選択部３ｉを追加で有する構成となっている（図４参照）。
【００６５】
このように構成された第５の実施の形態における本発明は、ナビゲーション装置３（Ａ）側で交通情報生成サーバ装置２Ａ（Ｂ）から取得する統合交通情報と、交通情報取得部で受信した３メディア交通情報の両方を取り扱う。統合交通情報の中にも３メディア交通情報が含まれる場合、同一リンクに対して、情報が重複するケースもある。
【００６６】
ここで、交通情報生成サーバ装置２Ａからナビゲーション装置３に提供される統合交通情報のフォーマット例は図１０（ａ）に示した通りであり、情報内容を識別する情報種別ＩＤと、統合交通情報が生成された提供時間と、情報種別ＩＤ毎の情報の鮮度を判断する情報源提供時間などが含まれている。また、道路交通情報システムセンターからの３メディア交通情報では、地図に表示する目的の情報として、駐車場情報、ＳＡ・ＰＡ情報、規制情報、渋滞情報が提供されるが、渋滞情報を識別するためのＩＤや情報の鮮度を判断するための提供時間は含まれている。
【００６７】
同一リンクに対して情報が重複する場合、取得済みの統合交通情報と３メディア交通情報の中から情報選択部３ｉで、使用する情報を選択する。この情報選択処理は、一定の周期時間毎や最新の統合交通情報や３メディア交通情報を取得した時に行うこととする。
【００６８】
例えば、情報種別ＩＤから同一リンクに対して、統合交通情報による３メディア交通情報Ａ、道路交通情報システムセンターによる３メディア交通情報Ｂが重複した場合、それぞれの提供時間から最新の情報を判断して使用し、提供時間が同一の場合は、統合交通情報＞電波ビーコン＞ＦＭ＞光ビーコン等のメディア優先順位に従って情報を使用する。当然、道路交通情報システムセンターによるＦＭ、電波ビーコン、光ビーコンの３メディア交通情報が重複した場合は、それぞれの提供時間から最新の情報を判断して使用することとなる。
【００６９】
また、同一リンクに対して、統合交通情報によるリアルタイムプローブ、道路交通情報システムセンターによる３メディア交通情報Ｂが重複した場合、リアルタイムプローブの提供時間＋２０分として、情報鮮度を判断して、提供時間より一定時間内は、精度の高いリアルタイムプローブを優先使用することができる。提供時間が同一の場合は、前記メディア優先順位に従う。
【００７０】
さらに、同一リンクに対して、統合交通情報による統計プローブ情報、道路交通情報システムセンターによる３メディア交通情報Ｂが重複した場合、統計プローブ情報の提供時間−３０分として、情報鮮度を判断して、有効時間内は常に、３メディア交通情報Ｂを優先使用することができる。以上のように、情報種別間の優先アルゴリズムや提供時間から判定した情報選択により優先的に扱うべき情報を選択して、ナビゲーション装置３（Ａ）の地図データ上に表示したり、ルート探索・音声案内等のナビ機能で使用することができる。
【００７１】
このように構成することで、ナビゲーション装置３Ａは、任意タイミングで情報取得が可能な通信部と限られた条件下でのみ情報取得が可能な取得部の情報受信の条件を鑑みて、どちらの手段でも取得可能な３メディア交通情報のような情報は、未受信時は情報種別ＩＤ選択部で３メディア交通情報の情報種別ＩＤを選択して、通信部を使って取得し、受信後は、情報種別ＩＤ選択部で３メディア交通情報の情報種別ＩＤを選択せず、電波やビーコンの下を通過する度に受信する取得部の情報を使用するような使い分けが可能となる。これにより、通信部の通信量を最小に抑えつつ情報取得部の特性に合わせて、種種の情報を取得し、取得した情報の中からより有効な情報を使用することが可能となる。
【００７２】
また、本発明について第１の実施の形態から第５の実施の形態を用いて説明したが、本
願発明を限定するものではなく、種々の変更を行っても同様の効果を得ることができる。例えば、本発明の実施形態において、道路交通情報システムセンターからの交通情報と、プローブ情報収集装置からのプローブ情報を交通情報生成装置で統合してナビゲーション装置に提供する例を示したが、本発明を限定するものではなく、他のシステムから提供される交通情報も考慮して交通情報生成サーバ装置で統合したり、ナビゲーション装置側で取得するようにすることができる。
【００７３】
また、例えば、第１の実施の形態から第４の実施の形態における情報統合部２ｄにおいて、図２に示すプローブカー１からのプローブ情報とタクシーなどの業務車両からのプローブ情報を統合する際に、同一車線毎に情報を統合した統合交通情報をナビゲーション装置３に提供して表示部３ａに表示された地図データ上に車線毎に対応した渋滞情報を表示するように構成することができる。
【００７４】
例えば、図８（ａ）に示すように明野小学校交差点付近のリンク毎の交通情報が走行車線判別部を備えたプローブカー１が取得し、この明野小学校交差点付近を通過した複数の同構成プローブカー１によってレーンＡ、レーンＢ、レーンＣのプローブ情報が収集される。他方で、タクシーなどの業務車両は配車管理のために定期的に自車の位置情報をアップする。これら収集されたプローブ情報は、交通情報生成サーバ装置２Ｂ（２Ａ）に送信される。送信された各プローブ情報は情報記録部２に保存され情報統合部２ｄでそれぞれの情報を車線を示す情報単位の交通情報に変換する。さらに、同一車線毎に情報を統合し、ナビゲーション装置３に統合交通情報を提供することができる。なお、図８（ａ）は、プローブカーが車線毎の混雑状態を収集する状況を示す模式図であり、（ｂ）は、プローブ情報によって車線毎の混雑情報を地図データに表示した模式図である。
【００７５】
このようにナビゲーション装置３が統合交通情報を取得すると、道路交通情報システムセンターが提供する交通情報を地図データ上に表示するものとは異なり、プローブカー１やタクシー等が実走行して得た複数のプローブ情報を統合して統合交通情報としてナビゲーション装置３に供給して地図データ上に表示することができるので図８（ｂ）に示すように、レーンＡは混雑しておらず通過可能であることを表示し、レーンＢとレーンＣは混雑していることを表示することができる。
【００７６】
また、頻繁にレーンＣが混雑するということがプローブ情報でわかっているときは、レーンＢの混雑はレーンＣの右折車両における混雑の影響であることがわかるように地図データに表示することができ、また、文字情報等を用いてどのレーンが混雑しているのか表示するように構成してもよい。
【００７７】
また、第１の実施の形態から第５の実施の形態において、同一リンク単位及び、又は同一車線毎に情報を統合すると記載したが本願発明を限定するものではなく、種々の変更を行うことができ、例えば、同一リンクの単位を交差点リンクとしても処理するように構成しても同様の効果を得ることができる。
【図面の簡単な説明】
【００７８】
【図１】本発明の第１の実施の形態における交通情報提供システムの構成を示す概念図
【図２】プローブカーの構成を示す構成図
【図３】交通情報生成サーバ装置の構成を示す構成図
【図４】ナビゲーション装置の構成を示す構成図
【図５】第２の実施の形態における交通情報生成サーバ装置の構成を示す模式図
【図６】第３の実施の形態における交通情報生成サーバ装置の構成を示す模式図
【図７】第４の実施の形態におけるナビゲーション装置の構成を示す模式図
【図８】（ａ）は、プローブカーが車線毎の混雑状態を収集する状況を示す模式図、（ｂ）は、プローブ情報によって車線毎の混雑情報を地図データに表示した模式図
【図９】交通情報生成サーバ装置における情報統合部の処理内容を示す模式図
【図１０】（ａ）交通情報生成サーバ装置から提供する統合交通情報のデータフォーマット例を示す模式図、（ｂ）交通情報生成サーバ装置に要求する統合交通情報の取得要求フォーマット例を示す模式図
【図１１】第４の実施の形態におけるナビゲーション装置で交通情報取得モードの選択を行う際の表示例を示す模式図
【符号の説明】
【００７９】
１    プローブカー
１Ａ  プローブ収集装置
１ａ  ユーザ操作解析部
１ｂ  車速検出部
１ｃ  蛇角検出部
１ｄ  現在位置算出部
１ｅ  プローブ制御部
１ｆ  走行車線判別部
１ｇ  プローブ情報生成部
１ｈ  通信部
１ｉ  記憶部
２    交通情報生成サーバ装置
２Ａ  交通情報生成サーバ装置
２Ｂ  交通情報生成サーバ装置
２ａ  プローブ情報受信部
２ｂ  交通情報取得部
２ｃ  情報記録部
２ｄ  情報統合部
２ｅ  外部通信部
２ｆ  精度判定部
２ｇ  情報種別ＩＤ付与部
２ｈ  記憶部
３    ナビゲーション装置
３ａ  表示部
３ｂ  記憶部
３ｃ  入力部
３ｄ  車速センサ
３ｅ  経路探索部
３ｆ  自車位置検出部
３ｇ  通信部
３ｈ  情報種別ＩＤ選択部
３ｉ  情報選択部
３ｊ  交通情報取得部
３ｋ  ナビゲーション制御部
Ｓ    交通情報提供システム
【図１】
2010140135.tif 000003
【図２】
2010140135.tif 000004
【図３】
2010140135.tif 000005
【図４】
2010140135.tif 000006
【図５】
2010140135.tif 000007
【図６】
2010140135.tif 000008
【図７】
2010140135.tif 000009
【図８】
2010140135.tif 000010
【図９】
2010140135.tif 000011
【図１０】
2010140135.tif 000012
【図１１】
2010140135.tif 000013